(57)【要約】【課題】ディスクリネーションの発生を抑制できる表示装置を提供する。【解決手段】表示装置１１は表示画素部３０と信号処理部２３とを備える。表示画素部３０には複数の画素６０が水平方向及び垂直方向に配置されている。信号処理部２３は、複数の画素６０における注目画素に対して水平方向、垂直方向、及び斜め方向にそれぞれ配置されている周辺画素の階調データと注目画素の階調データとの差分に基づいて注目画素に対応する補正値を決定し、補正値に基づいて前記注目画素の画素値を増加または減少させ、前記差分を小さくするように注目画素の階調データを補正する。信号処理部２３は、注目画素に対して水平方向、垂直方向、及び斜め方向にそれぞれ配置されている周辺画素の階調データと注目画素の階調データとの差分を演算し、演算結果から最大値を特定して補正値とする。【選択図】図１
2018194668.tif 000002
【特許請求の範囲】
【請求項１】
複数の画素が水平方向及び垂直方向に配置されている表示画素部と、
前記複数の画素における注目画素に対して水平方向、垂直方向、及び斜め方向にそれぞれ配置されている周辺画素の階調データと前記注目画素の階調データとの差分に基づいて前記注目画素に対応する補正値を決定し、前記補正値に基づいて前記注目画素の画素値を増加または減少させ、前記差分を小さくするように前記注目画素の階調データを補正する信号処理部と、
を備えることを特徴とする表示装置。
【請求項２】
前記信号処理部は、前記注目画素に対して水平方向、垂直方向、及び斜め方向にそれぞれ配置されている周辺画素の階調データと前記注目画素の階調データとの差分を演算し、演算結果から最大値を特定し、前記最大値を前記補正値とすることを特徴とする請求項１に記載の表示装置。
【請求項３】
前記信号処理部は、前記注目画素に対して前記周辺画素が配置されている方向、または、前記注目画素と前記周辺画素との距離に応じた補正係数に基づいて前記差分を演算することを特徴とする請求項１または２に記載の表示装置。
【請求項４】
水平方向及び垂直方向に配置されている複数の画素における注目画素に対して水平方向、垂直方向、及び斜め方向にそれぞれ配置されている周辺画素の階調データと前記注目画素の階調データとの差分に基づいて、前記注目画素に対応する補正値を決定し、
前記補正値に基づいて前記注目画素の画素値を増加または減少させ、前記差分を小さくするように前記注目画素の階調データを補正する
ことを特徴とする表示方法。
【発明の詳細な説明】
【技術分野】
【０００１】
本発明は、ディスクリネーションの発生を抑制して画像を表示する表示装置及び表示方法に関する。
【背景技術】
【０００２】
表示装置として、複数の画素が水平方向及び垂直方向に配置された表示画素部を有する液晶表示装置が用いられている。液晶表示装置は、画素毎の階調データに基づいて液晶を駆動することにより、画像を階調表示することができる。液晶表示装置の一例が特許文献１に記載されている。
【先行技術文献】
【特許文献】
【０００３】
【特許文献１】特開２０１４−２２３２号公報
【発明の概要】
【発明が解決しようとする課題】
【０００４】
近年、液晶表示装置は、水平方向の画素数が４０９６または３８４０であり、垂直方向の画素数が２４００または２１６０であるいわゆる４Ｋと称されるように、高解像度化が進んでいる。画素ピッチは高解像度化により狭くなる傾向にある。画素ピッチが狭くなるとディスクリネーションが発生しやすくなる。
【０００５】
ディスクリネーションとは、隣り合う画素間の電位差に起因して液晶分子が意図した方向とは異なる方向に配向することであり、表示画像の品位を悪化させる原因となるものである。垂直配向液晶を用いた液晶表示装置では、プレチルト角が大きくなると垂直配向性が悪化するため、黒レベルが上昇して表示画像のコントラストを低下させる要因となる。そこで、プレチルト角を小さくすることにより、コントラストを大きくすることができる。しかしながら、プレチルト角を小さくし過ぎると、ディスクリネーションが発生しやすくなる。
【０００６】
本発明は、ディスクリネーションの発生を抑制できる表示装置及び表示方法を提供することを目的とする。
【課題を解決するための手段】
【０００７】
本発明は、複数の画素が水平方向及び垂直方向に配置されている表示画素部と、前記複数の画素における注目画素に対して水平方向、垂直方向、及び斜め方向にそれぞれ配置されている周辺画素の階調データと前記注目画素の階調データとの差分に基づいて前記注目画素に対応する補正値を決定し、前記補正値に基づいて前記注目画素の画素値を増加または減少させ、前記差分を小さくするように前記注目画素の階調データを補正する信号処理部とを備えることを特徴とする表示装置を提供する。
【０００８】
また、本発明は、水平方向及び垂直方向に配置されている複数の画素における注目画素に対して水平方向、垂直方向、及び斜め方向にそれぞれ配置されている周辺画素の階調データと前記注目画素の階調データとの差分に基づいて、前記注目画素に対応する補正値を決定し、前記補正値に基づいて前記注目画素の画素値を増加または減少させ、前記差分を小さくするように前記注目画素の階調データを補正することを特徴とする表示方法を提供する。
【発明の効果】
【０００９】
本発明の表示装置及び表示方法によれば、ディスクリネーションの発生を抑制できる。
【図面の簡単な説明】
【００１０】
【図１】第１〜第４実施形態の表示装置を示す構成図である。
【図２】表示画素部の一部を模式的に示す図である。
【図３】映像データＶＤにおける画素の階調データの一例を示す図である。
【図４】画素の階調データが補正された一例を示す図である。
【図５】画素の階調データが補正された一例を示す図である。
【図６】画素の階調データが補正された一例を示す図である。
【図７】映像データＶＤにおける画素の階調データの一例を示す図である。
【図８】画素の階調データが補正された一例を示す図である。
【図９】周辺画素と注目画素との階調データの差分と補正係数との関係を示す図である。
【図１０】画素の階調データが補正された一例を示す図である。
【図１１】周辺画素と注目画素との階調データの差分と補正係数との関係を示す図である。
【図１２】画素の階調データが補正された一例を示す図である。
【図１３】周辺画素と注目画素との階調データの差分と補正係数との関係を示す図である。
【図１４】画素の階調データが補正された一例を示す図である。
【図１５】画素の階調データが補正された一例を示す図である。
【図１６】画素の階調データが補正された一例を示す図である。
【図１７】階調補正を実行しない場合のフレーム毎に連続して表示される画像の一例を模式的に示す図である。
【図１８】注目画素に対して水平方向及び垂直方向にそれぞれ配置されている周辺画素に基づいて階調補正を実行する場合のフレーム毎に連続して表示される画像の一例を模式的に示す図である。
【図１９】注目画素に対して水平方向、垂直方向、及び斜め方向にそれぞれ配置されている周辺画素に基づいて階調補正を実行する場合のフレーム毎に連続して表示される画像の一例を模式的に示す図である。
【図２０】階調補正を実行しない場合のフレーム毎に連続して表示される画像の一例を模式的に示す図である。
【図２１】注目画素に対して水平方向及び垂直方向にそれぞれ配置されている周辺画素に基づいて階調補正を実行する場合のフレーム毎に連続して表示される画像の一例を模式的に示す図である。
【図２２】注目画素に対して水平方向、垂直方向、及び斜め方向にそれぞれ配置されている周辺画素に基づいて階調補正を実行する場合のフレーム毎に連続して表示される画像の一例を模式的に示す図である。
【発明を実施するための形態】
【００１１】
［第１実施形態］
図１を用いて、第１実施形態の表示装置を説明する。表示装置１１は、信号処理部２１と、表示画素部３０と、水平走査回路４０と、垂直走査回路５０とを備える。 
【００１２】
表示画素部３０は、水平方向に配置された複数（ｘ）本の列データ線Ｄ（Ｄ１〜Ｄｘ）と、垂直方向に配置された複数（ｙ）本の行走査線Ｇ（Ｇ１〜Ｇｙ）との各交差部にマトリクス状に配置された複数（ｘ×ｙ）個の画素６０を有する。即ち、表示画素部３０には、複数の画素６０が水平方向及び垂直方向に配置されている。画素６０は、列データ線Ｄ１〜Ｄｘに列毎に接続され、行走査線Ｇ１〜Ｇｙに行毎に接続されている。
【００１３】
信号処理部２１には、デジタル信号である映像データＶＤが入力される。信号処理部２１は、映像データＶＤに基づいて画素単位で階調補正された階調補正映像データＳＶＤを生成し、水平走査回路４０へ出力する。信号処理部２１における映像データＶＤの具体的な階調補正方法については後述する。
【００１４】
水平走査回路４０は、列データ線Ｄを介して表示画素部３０の画素６０に接続されている。例えば列データ線Ｄ１は、表示画素部３０の１列目のｙ個の画素６０に接続されている。列データ線Ｄ２は、表示画素部３０の２列目のｙ個の画素６０に接続され、列データ線Ｄｘは、表示画素部３０のｘ列目のｙ個の画素６０に接続されている。
【００１５】
水平走査回路４０には、階調補正映像データＳＶＤが、１水平走査期間単位で、１本の行走査線Ｇのｘ個の画素６０に対応する階調信号ＤＬとして順次入力される。階調信号ＤＬは、ｎビットの階調データを有している。例えばｎを８とすると、表示画素部３０は、画素６０毎に２５６階調で画像を階調表示させることができる。
【００１６】
水平走査回路４０は、ｎビットの階調データを並列に順次シフトし、列データ線Ｄ１〜Ｄｘへ出力する。表示画素部３０が、例えば４Ｋ解像度（ｘ＝４０９６）の液晶パネルの場合には、水平走査回路４０は、１水平走査期間に４０９６個分の画素６０のそれぞれに対応したｎビットの階調データを順次シフトし、列データ線Ｄ１〜Ｄｘへ出力する。
【００１７】
垂直走査回路５０は、行走査線Ｇを介して、表示画素部３０の画素６０に接続されている。例えば、行走査線Ｇ１は表示画素部３０の１行目のｘ個の画素６０に接続され、行走査線Ｇ２は表示画素部３０の２行目のｘ個の画素６０に接続されている。行走査線Ｇｙは、表示画素部３０のｙ行目のｘ個の画素６０に接続されている。
【００１８】
垂直走査回路５０は、行走査線Ｇを、１水平走査期間単位で行走査線Ｇ１から行走査線Ｇｙへ１本ずつ順次選択する。表示画素部３０の各画素６０は、水平走査回路４０により列データ線Ｄが選択され、垂直走査回路５０により行走査線Ｇが選択されることにより、選択された画素６０に対応する階調データが階調駆動電圧として印加される。これにより、各画素６０は、印加される階調駆動電圧の電圧値に応じて階調表示される。表示画素部３０は、全ての画素６０が階調表示されることにより、画像を階調表示させることができる。
【００１９】
図２〜図８を用いて、信号処理部２１における映像データＶＤの階調補正方法を説明する。図２は図１に示す表示画素部３０の一部を模式的に示している。具体的には、図２は図１に示す表示画素部３０の第ｎ−２〜第ｎ＋２行（ｎ≧３）及び第ｍ−２〜第ｍ＋２列（ｍ≧３）の画素６０を示している。
【００２０】
各画素６０を区別するために、第ｎ−２行で第ｍ−２〜第ｍ＋２列の画素６０を、画素６０ｎ−２＿ｍ−２，６０ｎ−２＿ｍ−１，６０ｎ−２＿ｍ，６０ｎ−２＿ｍ＋１，６０ｎ−２＿ｍ＋２とする。第ｎ−１行で第ｍ−２〜第ｍ＋２列の画素６０を、画素６０ｎ−１＿ｍ−２，６０ｎ−１＿ｍ−１，６０ｎ−１＿ｍ，６０ｎ−１＿ｍ＋１，６０ｎ−１＿ｍ＋２とする。
【００２１】
第ｎ行で第ｍ−２〜第ｍ＋２列の画素６０を、画素６０ｎ＿ｍ−２，６０ｎ＿ｍ−１，６０ｎ＿ｍ，６０ｎ＿ｍ＋１，６０ｎ＿ｍ＋２とする。第ｎ＋１行で第ｍ−２〜第ｍ＋２列の画素６０を、画素６０ｎ＋１＿ｍ−２，６０ｎ＋１＿ｍ−１，６０ｎ＋１＿ｍ，６０ｎ＋１＿ｍ＋１，６０ｎ＋１＿ｍ＋２とする。第ｎ＋２行で第ｍ−２〜第ｍ＋２列の画素６０を、画素６０ｎ＋２＿ｍ−２，６０ｎ＋２＿ｍ−１，６０ｎ＋２＿ｍ，６０ｎ＋２＿ｍ＋１，６０ｎ＋２＿ｍ＋２とする。
【００２２】
映像データＶＤにおける画素６０ｎ−２＿ｍ−２，６０ｎ−２＿ｍ−１，６０ｎ−２＿ｍ，６０ｎ−２＿ｍ＋１，６０ｎ−２＿ｍ＋２に対応する階調データを、階調データｇｒ＿ｎ−２＿ｍ−２，ｇｒ＿ｎ−２＿ｍ−１，ｇｒ＿ｎ−２＿ｍ，ｇｒ＿ｎ−２＿ｍ＋１，ｇｒ＿ｎ−２＿ｍ＋２とする。画素６０ｎ−１＿ｍ−２，６０ｎ−１＿ｍ−１，６０ｎ−１＿ｍ，６０ｎ−１＿ｍ＋１，６０ｎ−１＿ｍ＋２に対応する階調データを、階調データｇｒ＿ｎ−１＿ｍ−２，ｇｒ＿ｎ−１＿ｍ−１，ｇｒ＿ｎ−１＿ｍ，ｇｒ＿ｎ−１＿ｍ＋１，ｇｒ＿ｎ−１＿ｍ＋２とする。
【００２３】
画素６０ｎ＿ｍ−２，６０ｎ＿ｍ−１，６０ｎ＿ｍ，６０ｎ＿ｍ＋１，６０ｎ＿ｍ＋２に対応する階調データを、階調データｇｒ＿ｎ＿ｍ−２，ｇｒ＿ｎ＿ｍ−１，ｇｒ＿ｎ＿ｍ，ｇｒ＿ｎ＿ｍ＋１，ｇｒ＿ｎ＿ｍ＋２とする。画素６０ｎ＋１＿ｍ−２，６０ｎ＋１＿ｍ−１，６０ｎ＋１＿ｍ，６０ｎ＋１＿ｍ＋１，６０ｎ＋１＿ｍ＋２に対応する階調データを、階調データｇｒ＿ｎ＋１＿ｍ−２，ｇｒ＿ｎ＋１＿ｍ−１，ｇｒ＿ｎ＋１＿ｍ，ｇｒ＿ｎ＋１＿ｍ＋１，ｇｒ＿ｎ＋１＿ｍ＋２とする。
【００２４】
画素６０ｎ＋２＿ｍ−２，６０ｎ＋２＿ｍ−１，６０ｎ＋２＿ｍ，６０ｎ＋２＿ｍ＋１，６０ｎ＋２＿ｍ＋２に対応する階調データを、階調データｇｒ＿ｎ＋２＿ｍ−２，ｇｒ＿ｎ＋２＿ｍ−１，ｇｒ＿ｎ＋２＿ｍ，ｇｒ＿ｎ＋２＿ｍ＋１，ｇｒ＿ｎ＋２＿ｍ＋２とする。
【００２５】
信号処理部２１は、各画素６０に入力される階調データに対して階調補正処理を実行する。具体的には、信号処理部２１は、式（１）に基づいて、注目画素に対して水平方向、垂直方向、及び斜め方向にそれぞれ配置されている２画素分の周辺画素の階調データと注目画素の階調データとの差分を演算し、演算結果から最大値を特定して注目画素における補正値ＣＶとする。
【００２６】
【数１】
2018194668.tif 000003
【００２７】
α（α１１〜α１８）は２画素の内、注目画素に対して近い側の周辺画素６０（第１の周辺画素）に対する補正係数（第１の補正係数）であり、β（β１１〜β１８）は遠い側の周辺画素６０（第２の周辺画素）に対する補正係数（第２の補正係数）である。補正係数α，βは、それぞれ０以上の定数である。補正係数α，βは、α＝ｋ×β（ｋ≧１）の関係式で示される。即ち、注目画素に対して近い側の周辺画素６０は、遠い側の周辺画素６０と同等以上の重み付けがされる。 
【００２８】
信号処理部２１は、複数の画素６０における注目画素に隣接する第１の周辺画素及び第１の周辺画素に隣接する第２の周辺画素の階調データと注目画素の階調データとの差分に基づいて注目画素に対応する補正値ＣＶを決定する。信号処理部２１は、補正値ＣＶに基づいて、具体的には注目画素の階調データに補正値ＣＶを加算することにより、注目画素の画素値を増加させ、上記の差分を小さくする。画素値は例えば階調値である。
【００２９】
信号処理部２１は、注目画素の水平方向、垂直方向、及び斜め方向にそれぞれ配置されている複数の周辺画素に対して、各方向毎に差分を演算し、演算結果から最大値を特定し、最大値を補正値ＣＶとする。
【００３０】
信号処理部２１は、注目画素に対して周辺画素が配置されている方向、または、注目画素と周辺画素との距離に応じた補正係数α１１〜α１８，β１１〜β１８に基づいて上記の差分を演算し、演算結果から最大値を特定して注目画素における補正値ＣＶとする。なお、α１１＝α１２＝α１３＝α１４＝α１５＝α１６＝α１７＝α１８、及びβ１１＝β１２＝β１３＝β１４＝β１５＝β１６＝β１７＝β１８としてもよい。
【００３１】
例えば、第ｎ行で第ｍ列の画素６０ｎ＿ｍを注目画素とした場合、信号処理部２１は、式（１）に基づいて、注目画素である画素６０ｎ＿ｍに対して水平方向、垂直方向、及び斜め方向にそれぞれ配置されている２画素分の周辺画素の階調データと注目画素の階調データとの差分を演算する。信号処理部２１は、演算結果から最大値ＭＡＸを特定し、画素６０ｎ＿ｍにおける補正値ＣＶ＿ｎ＿ｍとする。以下、図２に対応させて、水平方向を右方向及び左方向、垂直方向を上方向及び下方向、斜め方向を右上方向、右下方向、左下方向、及び左上方向として説明する。
【００３２】
具体的には、信号処理部２１は、注目画素である画素６０ｎ＿ｍに対して上方向に配置されている周辺画素６０ｎ−１＿ｍ，６０ｎ−２＿ｍの階調データと画素６０ｎ＿ｍの階調データとの差分を、式（１）における演算式α１１×（ｇｒ＿ｎ−１＿ｍ−ｇｒ＿ｎ＿ｍ）＋β１１×（ｇｒ＿ｎ−２＿ｍ−ｇｒ＿ｎ＿ｍ）に基づいて演算する。信号処理部２１は、画素６０ｎ＿ｍに対して右方向に配置されている周辺画素６０ｎ＿ｍ＋１，６０ｎ＿ｍ＋２の階調データと画素６０ｎ＿ｍの階調データとの差分を、式（１）における演算式α１２×（ｇｒ＿ｎ＿ｍ＋１−ｇｒ＿ｎ＿ｍ）＋β１２×（ｇｒ＿ｎ＿ｍ＋２−ｇｒ＿ｎ＿ｍ）に基づいて演算する。
【００３３】
信号処理部２１は、画素６０ｎ＿ｍに対して下方向に配置されている周辺画素６０ｎ＋１＿ｍ，６０ｎ＋２＿ｍの階調データと画素６０ｎ＿ｍの階調データとの差分を、式（１）における演算式α１３×（ｇｒ＿ｎ＋１＿ｍ−ｇｒ＿ｎ＿ｍ）＋β１３×（ｇｒ＿ｎ＋２＿ｍ−ｇｒ＿ｎ＿ｍ）に基づいて演算する。信号処理部２１は、画素６０ｎ＿ｍに対して左方向に配置されている周辺画素６０ｎ＿ｍ−１，６０ｎ＿ｍ−２の階調データと画素６０ｎ＿ｍの階調データとの差分を、式（１）における演算式α１４×（ｇｒ＿ｎ＿ｍ−１−ｇｒ＿ｎ＿ｍ）＋β１４×（ｇｒ＿ｎ＿ｍ−２−ｇｒ＿ｎ＿ｍ）に基づいて演算する。
【００３４】
信号処理部２１は、画素６０ｎ＿ｍに対して右上方向に配置されている周辺画素６０ｎ−１＿ｍ＋１，６０ｎ−２＿ｍ＋２の階調データと画素６０ｎ＿ｍの階調データとの差分を、式（１）における演算式α１５×（ｇｒ＿ｎ−１＿ｍ＋１−ｇｒ＿ｎ＿ｍ）＋β１５×（ｇｒ＿ｎ−２＿ｍ＋２−ｇｒ＿ｎ＿ｍ）に基づいて演算する。信号処理部２１は、画素６０ｎ＿ｍに対して右下方向に配置されている周辺画素６０ｎ＋１＿ｍ＋１，６０ｎ＋２＿ｍ＋２の階調データと画素６０ｎ＿ｍの階調データとの差分を、式（１）における演算式α１６×（ｇｒ＿ｎ＋１＿ｍ＋１−ｇｒ＿ｎ＿ｍ）＋β１６×（ｇｒ＿ｎ＋２＿ｍ＋２−ｇｒ＿ｎ＿ｍ）に基づいて演算する。
【００３５】
信号処理部２１は、画素６０ｎ＿ｍに対して左下方向に配置されている周辺画素６０ｎ＋１＿ｍ−１，６０ｎ＋２＿ｍ−２の階調データと画素６０ｎ＿ｍの階調データとの差分を、式（１）における演算式α１７×（ｇｒ＿ｎ＋１＿ｍ−１−ｇｒ＿ｎ＿ｍ）＋β１７×（ｇｒ＿ｎ＋２＿ｍ−２−ｇｒ＿ｎ＿ｍ）に基づいて演算する。信号処理部２１は、画素６０ｎ＿ｍに対して左上方向に配置されている周辺画素６０ｎ−１＿ｍ−１，６０ｎ−２＿ｍ−２の階調データと画素６０ｎ＿ｍの階調データとの差分を、式（１）における演算式α１８×（ｇｒ＿ｎ−１＿ｍ−１−ｇｒ＿ｎ＿ｍ）＋β１８×（ｇｒ＿ｎ−２＿ｍ−２−ｇｒ＿ｎ＿ｍ）に基づいて演算する。
【００３６】
信号処理部２１は、演算結果から最大値ＭＡＸを特定し、画素６０ｎ＿ｍにおける補正値ＣＶ＿ｎ＿ｍとする。信号処理部２１は、画素６０ｎ＿ｍの階調データを、映像データＶＤにおける画素６０ｎ＿ｍの階調データｇｒ＿ｎ＿ｍに補正値ＣＶ＿ｎ＿ｍが加算された階調データに補正する。即ち、信号処理部２１は、複数の画素６０における注目画素に対して水平方向、垂直方向、及び斜め方向にそれぞれ配置されている２画素分の周辺画素の階調データと注目画素の階調データとの差分に基づいて注目画素に対応する補正値ＣＶを決定する。信号処理部２１は、補正値ＣＶに基づいて、具体的には注目画素の階調データに補正値ＣＶを加算することにより、注目画素の画素値を増加させ、上記の差分を小さくする。
【００３７】
信号処理部２１は、注目画素に対して右方向に配置されている２画素分の周辺画素の階調データ、左方向に配置されている２画素分の周辺画素の階調データ、上方向に配置されている２画素分の周辺画素の階調データ、下方向に配置されている２画素分の周辺画素の階調データ、右上方向に配置されている２画素分の周辺画素の階調データ、右下方向に配置されている２画素分の周辺画素の階調データ、左下方向に配置されている２画素分の周辺画素の階調データ、及び左上方向に配置されている２画素分の周辺画素の階調データと注目画素の階調データとの差分に基づいて注目画素に対応する補正値ＣＶを決定する。信号処理部２１は、補正値ＣＶに基づいて、具体的には注目画素の階調データに補正値ＣＶを加算することにより、注目画素の画素値を増加させ、上記の差分を小さくする。
【００３８】
信号処理部２１は、表示画素部３０の全画素６０に対して、画素６０ｎ＿ｍと同様の階調補正処理を実行する。信号処理部２１は、映像データＶＤにおける全画素６０に対して階調補正処理を実行することにより、階調補正映像データＳＶＤを生成し、水平走査回路４０へ出力する。
【００３９】
図３は、図２に対応し、映像データＶＤにおける第ｍ−２〜第ｍ列の画素６０の階調データｇｒが０であり、第ｍ＋１，第ｍ＋２列の画素６０の階調データｇｒが２５５である場合を示している。なお、図３は、各画素６０の階調データｇｒの関係をわかりやすくするために、各画素６０の階調データｇｒのみを示している。
【００４０】
画素ｎ＿ｍを注目画素として、α１１＝α１２＝α１３＝α１４＝α１５＝α１６＝α１７＝α１８、及びβ１１＝β１２＝β１３＝β１４＝β１５＝β１６＝β１７＝β１８であり、式（１）のα１２×（ｇｒ＿ｎ＿ｍ＋１−ｇｒ＿ｎ＿ｍ）＋β１２×（ｇｒ＿ｎ＿ｍ＋２−ｇｒ＿ｎ＿ｍ）により算出された値が最大値となる場合について説明する。
【００４１】
図４は、図３に対応し、例えば、α１１〜α１８＝３１、β１１〜β１８＝３１とした場合の各画素６０の階調データｇｒを示している。信号処理部２１は、画素６０ｎ＿ｍの階調データｇｒを６２に補正する。信号処理部２１は、画素６０ｎ＿ｍと同じ第ｍ列の画素６０の階調データｇｒを６２に補正する。第ｎ行で第ｍ−１列の画素６０ｎ＿ｍ−１を注目画素とした場合、信号処理部２１は、画素６０ｎ＿ｍ−１の階調データｇｒを３１に補正する。信号処理部２１は、画素６０ｎ＿ｍ−１と同じ第ｍ−１列の画素６０の階調データｇｒを３１に補正する。
【００４２】
発明者の検証結果によれば、α１１〜α１８＝３１、β１１〜β１８＝３１とした場合には、階調が補正され過ぎるため、ディスクリネーションの発生は抑制されるものの、コントラストが低下することが確認されている。
【００４３】
図５は、図３に対応し、例えば、α１１〜α１８＝３１、β１１〜β１８＝１５とした場合の各画素６０の階調データｇｒを示している。信号処理部２１は、画素６０ｎ＿ｍの階調データｇｒを４６に補正する。信号処理部２１は、画素６０ｎ＿ｍと同じ第ｍ列の画素６０の階調データｇｒを４６に補正する。第ｎ行で第ｍ−１列の画素６０ｎ＿ｍ−１を注目画素とした場合、信号処理部２１は、画素６０ｎ＿ｍ−１の階調データｇｒを１５に補正する。信号処理部２１は、画素６０ｎ＿ｍ−１と同じ第ｍ−１列の画素６０の階調データｇｒを１５に補正する。
【００４４】
発明者の検証結果によれば、α１１〜α１８＝３１、β１１〜β１８＝１５とした場合には、コントラストの低下、及びディスクリネーションの発生が抑制されることが確認されている。
【００４５】
図６は、図３に対応し、例えば、α１１〜α１８＝３１、β１１〜β１８＝７とした場合の各画素６０の階調データｇｒを示している。信号処理部２１は、画素６０ｎ＿ｍの階調データｇｒを３８に補正する。信号処理部２１は、画素６０ｎ＿ｍと同じ第ｍ列の画素６０の階調データｇｒを３８に補正する。第ｎ行で第ｍ−１列の画素６０ｎ＿ｍ−１を注目画素とした場合、信号処理部２１は、画素６０ｎ＿ｍ−１の階調データｇｒを７に補正する。信号処理部２１は、画素６０ｎ＿ｍ−１と同じ第ｍ−１列の画素６０の階調データｇｒを７に階調補正する。
【００４６】
発明者の検証結果によれば、α１１〜α１８＝３１、β１１〜β１８＝７とした場合には、階調の補正が不十分となるため、コントラストの低下は抑制されるものの、デスクネーションの発生を十分に抑制できないことが確認されている。
【００４７】
従って、関係式α＝ｋ×βにおいて、係数ｋは２程度が好ましい。なお、補正係数α，β及び係数ｋは、表示画素部３０の構成、解像度、画素ピッチ等に応じて適宜決定されるものである。
【００４８】
図７は、図２に対応し、映像データＶＤにおいて、図７における左上側の領域の画素６０の階調データｇｒが０であり、右下側の領域の画素６０の階調データｇｒが２５５である場合を示している。なお、図７は、各画素６０の階調データｇｒの関係をわかりやすくするために、各画素６０の階調データｇｒのみを示している。
【００４９】
画素ｎ＿ｍを注目画素として、α１１＝α１２＝α１３＝α１４＝α１５＝α１６＝α１７＝α１８、及びβ１１＝β１２＝β１３＝β１４＝β１５＝β１６＝β１７＝β１８であり、式（１）におけるα１６×（ｇｒ＿ｎ＋１＿ｍ＋１−ｇｒ＿ｎ＿ｍ）＋β１６×（ｇｒ＿ｎ＋２＿ｍ＋２−ｇｒ＿ｎ＿ｍ）により算出された値が最大値となる場合について説明する。
【００５０】
図８は、図７に対応し、例えば、α１１〜α１８＝３１、β１１〜β１８＝１５とした場合の各画素６０の階調データｇｒを示している。信号処理部２１は、画素６０ｎ＿ｍ，６０ｎ−２＿ｍ＋１，６０ｎ−２＿ｍ＋２，６０ｎ−１＿ｍ，６０ｎ−１＿ｍ＋１，６０ｎ＿ｍ−１，６０ｎ＋１＿ｍ−２，６０ｎ＋１＿ｍ−１，６０ｎ＋２＿ｍ−２の階調データｇｒを４６に補正する。信号処理部２１は、画素６０ｎ−２＿ｍ−１，６０ｎ−２＿ｍ，６０ｎ−１＿ｍ−２，６０ｎ−１＿ｍ−１，６０ｎ＿ｍ−２の階調データｇｒを１５に補正する。
【００５１】
注目画素に対して水平方向及び垂直方向にそれぞれ配置されている２画素分の周辺画素に基づいて階調補正を実行する場合、即ち斜め方向の階調補正を実行しない場合、画素６０ｎ−２＿ｍ＋１，６０ｎ−１＿ｍ，６０ｎ＿ｍ−１，６０ｎ＋１＿ｍ−２の階調データｇｒは１５に補正される。
【００５２】
それに対して、注目画素に対して水平方向、垂直方向、及び斜め方向にそれぞれ配置されている２画素分の周辺画素に基づいて階調補正を実行する場合は、図７に示す画像パターンでは、注目画素に対して斜め方向に配置されている２画素分の周辺画素の階調データを演算した値が最大値となる。そのため、画素６０ｎ−２＿ｍ＋１，６０ｎ−１＿ｍ，６０ｎ＿ｍ−１，６０ｎ＋１＿ｍ−２の階調データｇｒは４６に補正される。
【００５３】
また、注目画素に対して水平方向及び垂直方向にそれぞれ配置されている２画素分の周辺画素に基づいて階調補正を実行する場合、画素６０ｎ−２＿ｍ，６０ｎ−２＿ｍ−１，６０ｎ−１＿ｍ−１，６０ｎ−１＿ｍ−２，６０ｎ＿ｍ−２の階調データｇｒは０に補正される。
【００５４】
それに対して、注目画素に対して水平方向、垂直方向、及び斜め方向にそれぞれ配置されている２画素分の周辺画素に基づいて階調補正を実行する場合は、図７に示す画像パターンでは、注目画素に対して斜め方向に配置されている２画素分の周辺画素の階調データを演算した値が最大値となる。そのため、画素６０ｎ−２＿ｍ，６０ｎ−２＿ｍ−１，６０ｎ−１＿ｍ−１，６０ｎ−１＿ｍ−２，６０ｎ＿ｍ−２の階調データｇｒは１５に補正される。
【００５５】
従って、第１実施形態の表示装置１１及び表示方法によれば、注目画素に対して水平方向、垂直方向、及び斜め方向にそれぞれ配置されている２画素分の周辺画素の階調データと注目画素の階調データとの差分に基づいて階調補正を実行することにより、注目画素と周辺画素との階調データの差分を、２画素分の周辺画素に対して小さくすることができるため、ディスクリネーションの発生を抑制することができる。
【００５６】
また、第１実施形態の表示装置１１及び表示方法によれば、注目画素に対して水平方向、垂直方向、及び斜め方向にそれぞれ配置されている２画素分の周辺画素の階調データと注目画素の階調データとの差分に基づいて階調補正を実行することにより、水平方向及び垂直方向にそれぞれ配置されている２画素分の周辺画素の階調データと注目画素の階調データとの差分に基づいて階調補正を実行する場合と比較して、多様な画像パターンに対してディスクリネーションの発生を抑制することができる。
【００５７】
ディスクリネーションの発生しやすい方向は、表示装置１１の設計仕様または表示装置１１毎に異なる場合がある。第１実施形態の表示装置１１及び表示方法では、注目画素に対して水平方向、垂直方向、及び斜め方向にそれぞれ配置されている２画素分の周辺画素の階調データと注目画素の階調データとの差分に基づいて階調補正を実行する。そのため、ディスクリネーションの発生しやすい方向が表示装置１１の設計仕様または表示装置１１毎に異なる場合でも、多様な画像パターンに対してディスクリネーションの発生を抑制することができる。
【００５８】
なお、ディスクリネーションの発生しやすい方向が予め確認されている場合には、注目画素に対してディスクリネーションの発生しやすい方向に配置されている２画素分の周辺画素のみの階調データと注目画素の階調データとの差分に基づいて階調補正を実行するようにしてもよい。
【００５９】
［第２実施形態］
図１に示すように、信号処理部２１の代わりに信号処理部２２を備えるのが第２実施形態の表示装置１２であり、信号処理部２２における表示方法、具体的には映像データＶＤの階調補正方法は信号処理部２１におけるそれと異なる。そこで、信号処理部２２における映像データＶＤの階調補正方法について説明する。なお、説明をわかりやすくするために、第１実施形態の表示装置１１と同じ構成部には同じ符号を付す。
【００６０】
信号処理部２２は、各画素６０に入力される階調データに対して階調補正処理を実行する。具体的には、信号処理部２２は、式（２）に基づいて、注目画素に対して水平方向、垂直方向、及び斜め方向にそれぞれ配置されている２画素分の周辺画素の階調データと注目画素の階調データとの差分を演算し、演算結果から最大値を特定して注目画素における補正値ＣＶとする。
【００６１】
【数２】
2018194668.tif 000004
【００６２】
α（α２１〜α２８）は２画素の内、注目画素に対して近い側の周辺画素６０（第１の周辺画素）に対する補正係数（第１の補正係数）であり、β（β２１〜β２８）は遠い側の周辺画素６０（第２の周辺画素）に対する補正係数（第２の補正係数）である。補正係数α，βは、それぞれ０以上の変数である。補正係数α，βは、α＝ｋ×β（ｋ≧１）の関係式で示される。即ち、注目画素に対して近い側の画素６０は、遠い側の画素６０と同等以上の重み付けがされる。
【００６３】
信号処理部２２は、複数の画素６０における注目画素に隣接する第１の周辺画素及び第１の周辺画素に隣接する第２の周辺画素の階調データと注目画素の階調データとの差分に基づいて注目画素に対応する補正値ＣＶを決定する。信号処理部２２は、補正値ＣＶに基づいて、具体的には注目画素の階調データに補正値ＣＶを加算することにより、注目画素の画素値を増加させ、上記の差分を小さくする。画素値は例えば階調値である。
【００６４】
信号処理部２２は、注目画素の水平方向、垂直方向、及び斜め方向にそれぞれ配置されている複数の周辺画素に対して、各方向毎に差分を演算し、演算結果から最大値を特定し、最大値を補正値ＣＶとする。
【００６５】
信号処理部２２は、注目画素に対して周辺画素が配置されている方向、または、注目画素と周辺画素との距離に応じた補正係数α２１〜α２８，β２１〜β２８に基づいて上記の差分を演算し、演算結果から最大値を特定して注目画素における補正値ＣＶとする。なお、α２１＝α２２＝α２３＝α２４＝α２５＝α２６＝α２７＝α２８、及びβ２１＝β２２＝β２３＝β２４＝β２５＝β２６＝β２７＝β２８としてもよい。
【００６６】
例えば、第ｎ行で第ｍ列の画素６０ｎ＿ｍを注目画素とした場合、信号処理部２２は、式（２）に基づいて、注目画素である画素６０ｎ＿ｍに対して水平方向、垂直方向、及び斜め方向にそれぞれ配置されている２画素分の周辺画素の階調データと画素６０ｎ＿ｍの階調データとの差分を演算する。信号処理部２２は、演算結果から最大値ＭＡＸを特定し、画素６０ｎ＿ｍにおける補正値ＣＶ＿ｎ＿ｍとする。以下、水平方向を右方向及び左方向、垂直方向を上方向及び下方向、斜め方向を右上方向、右下方向、左下方向、及び左上方向として説明する。
【００６７】
具体的には、信号処理部２２は、注目画素である画素６０ｎ＿ｍに対して上方向に配置されている周辺画素６０ｎ−１＿ｍ，６０ｎ−２＿ｍの階調データと画素６０ｎ＿ｍの階調データとの差分を、式（２）における演算式α２１×（ｇｒ＿ｎ−１＿ｍ−ｇｒ＿ｎ＿ｍ）＋β２１×（ｇｒ＿ｎ−２＿ｍ−ｇｒ＿ｎ＿ｍ）に基づいて演算する。信号処理部２２は、画素６０ｎ＿ｍに対して右方向に配置されている周辺画素６０ｎ＿ｍ＋１，６０ｎ＿ｍ＋２の階調データと画素６０ｎ＿ｍの階調データとの差分を、式（２）における演算式α２２×（ｇｒ＿ｎ＿ｍ＋１−ｇｒ＿ｎ＿ｍ）＋β２２×（ｇｒ＿ｎ＿ｍ＋２−ｇｒ＿ｎ＿ｍ）に基づいて演算する。
【００６８】
信号処理部２２は、画素６０ｎ＿ｍに対して下方向に配置されている周辺画素６０ｎ＋１＿ｍ，６０ｎ＋２＿ｍの階調データと画素６０ｎ＿ｍの階調データとの差分を、式（２）における演算式α２３×（ｇｒ＿ｎ＋１＿ｍ−ｇｒ＿ｎ＿ｍ）＋β２３×（ｇｒ＿ｎ＋２＿ｍ−ｇｒ＿ｎ＿ｍ）に基づいて演算する。信号処理部２２は、画素６０ｎ＿ｍに対して左方向に配置されている周辺画素６０ｎ＿ｍ−１，６０ｎ＿ｍ−２の階調データと画素６０ｎ＿ｍの階調データとの差分を、式（２）における演算式α２４×（ｇｒ＿ｎ＿ｍ−１−ｇｒ＿ｎ＿ｍ）＋β２４×（ｇｒ＿ｎ＿ｍ−２−ｇｒ＿ｎ＿ｍ）に基づいて演算する。
【００６９】
信号処理部２２は、画素６０ｎ＿ｍに対して右上方向に配置されている周辺画素６０ｎ−１＿ｍ＋１，６０ｎ−２＿ｍ＋２の階調データと画素６０ｎ＿ｍの階調データとの差分を、式（２）における演算式α２５×（ｇｒ＿ｎ−１＿ｍ＋１−ｇｒ＿ｎ＿ｍ）＋β２５×（ｇｒ＿ｎ−２＿ｍ＋２−ｇｒ＿ｎ＿ｍ）に基づいて演算する。信号処理部２２は、画素６０ｎ＿ｍに対して右下方向に配置されている周辺画素６０ｎ＋１＿ｍ＋１，６０ｎ＋２＿ｍ＋２の階調データと画素６０ｎ＿ｍの階調データとの差分を、式（２）における演算式α２６×（ｇｒ＿ｎ＋１＿ｍ＋１−ｇｒ＿ｎ＿ｍ）＋β２６×（ｇｒ＿ｎ＋２＿ｍ＋２−ｇｒ＿ｎ＿ｍ）に基づいて演算する。
【００７０】
信号処理部２２は、画素６０ｎ＿ｍに対して左下方向に配置されている周辺画素６０ｎ＋１＿ｍ−１，６０ｎ＋２＿ｍ−２の階調データと画素６０ｎ＿ｍの階調データとの差分を、式（２）における演算式α２７×（ｇｒ＿ｎ＋１＿ｍ−１−ｇｒ＿ｎ＿ｍ）＋β２７×（ｇｒ＿ｎ＋２＿ｍ−２−ｇｒ＿ｎ＿ｍ）に基づいて演算する。信号処理部２２は、画素６０ｎ＿ｍに対して左上方向に配置されている周辺画素６０ｎ−１＿ｍ−１，６０ｎ−２＿ｍ−２の階調データと画素６０ｎ＿ｍの階調データとの差分を、式（２）における演算式α２８×（ｇｒ＿ｎ−１＿ｍ−１−ｇｒ＿ｎ＿ｍ）＋β２８×（ｇｒ＿ｎ−２＿ｍ−２−ｇｒ＿ｎ＿ｍ）に基づいて演算する。
【００７１】
信号処理部２２は、演算結果から最大値ＭＡＸを特定し、画素６０ｎ＿ｍにおける補正値ＣＶ＿ｎ＿ｍとする。信号処理部２２は、画素６０ｎ＿ｍの階調データを、映像データＶＤにおける画素６０ｎ＿ｍの階調データｇｒ＿ｎ＿ｍに補正値ＣＶ＿ｎ＿ｍが加算された階調データに補正する。即ち、信号処理部２２は、複数の画素６０における注目画素に対して水平方向、垂直方向、及び斜め方向にそれぞれ配置されている２画素分の周辺画素の階調データと注目画素の階調データとの差分に基づいて注目画素に対応する補正値ＣＶを決定する。信号処理部２２は、補正値ＣＶに基づいて、具体的には注目画素の階調データに補正値ＣＶを加算することにより、注目画素の画素値を増加させ、上記の差分を小さくする。
【００７２】
信号処理部２２は、注目画素に対して右方向に配置されている２画素分の周辺画素の階調データ、左方向に配置されている２画素分の周辺画素の階調データ、上方向に配置されている２画素分の周辺画素の階調データ、下方向に配置されている２画素分の周辺画素の階調データ、右上方向に配置されている２画素分の周辺画素の階調データ、右下方向に配置されている２画素分の周辺画素の階調データ、左下方向に配置されている２画素分の周辺画素の階調データ、及び左上方向に配置されている２画素分の周辺画素の階調データと注目画素の階調データとの差分に基づいて注目画素に対応する補正値ＣＶを決定する。信号処理部２２は、補正値ＣＶに基づいて、具体的には注目画素の階調データに補正値ＣＶを加算することにより、注目画素の画素値を増加させ、上記の差分を小さくする。
【００７３】
信号処理部２２は、表示画素部３０の全画素６０に対して、画素６０ｎ＿ｍと同様の階調補正処理を実行する。信号処理部２２は、映像データＶＤにおける全画素６０に対して階調補正処理を実行することにより、階調補正映像データＳＶＤを生成し、水平走査回路４０へ出力する。
【００７４】
信号処理部２２は、周辺画素と注目画素との階調データの差分に基づいて補正係数α，βを設定する。信号処理部２２は、例えば周辺画素と注目画素との階調データの差分と補正係数α（α２１〜α２８）及び補正係数β（β２１〜β２８）とが関連付けられたルックアップテーブルに基づいて補正係数α（α２１〜α２８），β（β２１〜β２８）を設定する。ルックアップテーブルは、信号処理部２２に記憶されていてもよいし、信号処理部２２以外の記憶部に記憶されていてもよい。
【００７５】
具体的には、信号処理部２２は、周辺画素６０ｎ−１＿ｍと注目画素６０ｎ＿ｍとの階調データの差分（ｇｒ＿ｎ−１＿ｍ−ｇｒ＿ｎ＿ｍ）に基づいてα２１を設定する。信号処理部２２は、周辺画素６０ｎ＿ｍ＋１と注目画素６０ｎ＿ｍとの階調データの差分（ｇｒ＿ｎ＿ｍ＋１−ｇｒ＿ｎ＿ｍ）に基づいてα２２を設定する。信号処理部２２は、周辺画素６０ｎ＋１＿ｍと注目画素６０ｎ＿ｍとの階調データの差分（ｇｒ＿ｎ＋１＿ｍ−ｇｒ＿ｎ＿ｍ）に基づいてα２３を設定する。信号処理部２２は、周辺画素６０ｎ＿ｍ−１と注目画素６０ｎ＿ｍとの階調データの差分（ｇｒ＿ｎ＿ｍ−１−ｇｒ＿ｎ＿ｍ）に基づいてα２４を設定する。
【００７６】
信号処理部２２は、周辺画素６０ｎ−１＿ｍ＋１と注目画素６０ｎ＿ｍとの階調データの差分（ｇｒ＿ｎ−１＿ｍ＋１−ｇｒ＿ｎ＿ｍ）に基づいてα２５を設定する。信号処理部２２は、周辺画素６０ｎ＋１＿ｍ＋１と注目画素６０ｎ＿ｍとの階調データの差分（ｇｒ＿ｎ＋１＿ｍ＋１−ｇｒ＿ｎ＿ｍ）に基づいてα２６を設定する。信号処理部２２は、周辺画素６０ｎ＋１＿ｍ−１と注目画素６０ｎ＿ｍとの階調データの差分（ｇｒ＿ｎ＋１＿ｍ−１−ｇｒ＿ｎ＿ｍ）に基づいてα２７を設定する。信号処理部２２は、周辺画素６０ｎ−１＿ｍ−１と注目画素６０ｎ＿ｍとの階調データの差分（ｇｒ＿ｎ−１＿ｍ−１−ｇｒ＿ｎ＿ｍ）に基づいてα２８を設定する。
【００７７】
信号処理部２２は、周辺画素６０ｎ−２＿ｍと注目画素６０ｎ＿ｍとの階調データの差分（ｇｒ＿ｎ−２＿ｍ−ｇｒ＿ｎ＿ｍ）に基づいてβ２１を設定する。信号処理部２２は、周辺画素６０ｎ＿ｍ＋２と注目画素６０ｎ＿ｍとの階調データの差分（ｇｒ＿ｎ＿ｍ＋２−ｇｒ＿ｎ＿ｍ）に基づいてβ２２を設定する。信号処理部２２は、周辺画素６０ｎ＋２＿ｍと注目画素６０ｎ＿ｍとの階調データの差分（ｇｒ＿ｎ＋２＿ｍ−ｇｒ＿ｎ＿ｍ）に基づいてβ２３を設定する。信号処理部２２は、周辺画素６０ｎ＿ｍ−２と注目画素６０ｎ＿ｍとの階調データの差分（ｇｒ＿ｎ＿ｍ−２−ｇｒ＿ｎ＿ｍ）に基づいてβ２４を設定する。
【００７８】
信号処理部２２は、周辺画素６０ｎ−２＿ｍ＋２と注目画素６０ｎ＿ｍとの階調データの差分（ｇｒ＿ｎ−２＿ｍ＋２−ｇｒ＿ｎ＿ｍ）に基づいてβ２５を設定する。信号処理部２２は、周辺画素６０ｎ＋２＿ｍ＋２と注目画素６０ｎ＿ｍとの階調データの差分（ｇｒ＿ｎ＋２＿ｍ＋２−ｇｒ＿ｎ＿ｍ）に基づいてβ２６を設定する。信号処理部２２は、周辺画素６０ｎ＋２＿ｍ−２と注目画素６０ｎ＿ｍとの階調データの差分（ｇｒ＿ｎ＋２＿ｍ−２−ｇｒ＿ｎ＿ｍ）に基づいてβ２７を設定する。信号処理部２２は、周辺画素６０ｎ−２＿ｍ−２と注目画素６０ｎ＿ｍとの階調データの差分（ｇｒ＿ｎ−２＿ｍ−２−ｇｒ＿ｎ＿ｍ）に基づいてβ２８を設定する。
【００７９】
図９は周辺画素と注目画素との階調データの差分と補正係数α，βとの関係を第１実施例として示している。第１実施例では、補正係数α，βはα＝βの関係であり、周辺画素と注目画素との階調データの差分が２５５のときにα＝β＝４７となる。
【００８０】
図３に示すように、映像データＶＤにおける第ｍ−２〜第ｍ列の画素６０の階調データｇｒが０であり、第ｍ＋１，第ｍ＋２列の画素６０の階調データｇｒが２５５である場合、信号処理部２２は、周辺画素と注目画素との階調データの差分と補正係数α２１〜α２８，β２１〜β２８とが図９に示すグラフにより関連付けられたルックアップテーブルに基づいて、補正係数α２１〜α２８＝β２１〜β２８＝４７と設定する。
【００８１】
画素６０ｎ＿ｍを注目画素とした場合、信号処理部２２は、画素６０ｎ＿ｍの右方向に配置されている周辺画素６０ｎ＿ｍ＋１，６０ｎ＿ｍ＋２の階調データを、式（２）における演算式α２２×（ｇｒ＿ｎ＿ｍ＋１−ｇｒ＿ｎ＿ｍ）＋β２２×（ｇｒ＿ｎ＿ｍ＋２−ｇｒ＿ｎ＿ｍ）に基づいて演算する。
【００８２】
図１０は図３に対応し、各画素６０の階調データｇｒを示している。信号処理部２２は、画素６０ｎ＿ｍの階調データｇｒ＿ｎ＿ｍを９４に補正する。信号処理部２２は、画素６０ｎ＿ｍと同じ第ｍ列の画素６０の階調データｇｒを９４に補正する。画素６０ｎ＿ｍ−１を注目画素とした場合、信号処理部２２は、画素６０ｎ＿ｍ−１の階調データｇｒを４７に補正する。信号処理部２２は、画素６０ｎ＿ｍ−１と同じ第ｍ−１列の画素６０の階調データｇｒを４７に補正する。
【００８３】
図１１は周辺画素と注目画素との階調データの差分と補正係数α，βとの関係を第２実施例として示している。第２実施例では、周辺画素と注目画素との階調データの差分が２５５のときにα＝６３，β＝３１となる。即ち、関係式α＝ｋ×βにおいて、係数ｋは２程度に設定されている。
【００８４】
図３に示すように、映像データＶＤにおける第ｍ−２〜第ｍ列の画素６０の階調データが０であり、第ｍ＋１，第ｍ＋２列の画素６０の階調データが２５５である場合、信号処理部２２は、周辺画素と注目画素との階調データの差分と補正係数α２１〜α２８，β２１〜β２８とが図１１に示すグラフにより関連付けられたルックアップテーブルに基づいて、補正係数α２１〜α２８＝６３，β２１〜β２８＝３１と設定する。
【００８５】
画素６０ｎ＿ｍを注目画素とした場合、信号処理部２２は、右方向に配置されている周辺画素６０ｎ＿ｍ＋１，６０ｎ＿ｍ＋２の階調データを、式（２）における演算式α２２×（ｇｒ＿ｎ＿ｍ＋１−ｇｒ＿ｎ＿ｍ）＋β２２×（ｇｒ＿ｎ＿ｍ＋２−ｇｒ＿ｎ＿ｍ）に基づいて演算する。
【００８６】
図１２は図３に対応し、各画素６０の階調データｇｒを示している。信号処理部２２は、画素６０ｎ＿ｍの階調データｇｒ＿ｎ＿ｍを９４に補正する。信号処理部２２は、画素６０ｎ＿ｍと同じ第ｍ列の画素６０の階調データｇｒを９４に階調補正する。画素６０ｎ＿ｍ−１を注目画素とした場合、信号処理部２２は、画素６０ｎ＿ｍ−１の階調データｇｒ＿ｎ＿ｍ−１を３１に補正する。信号処理部２２は、画素６０ｎ＿ｍ−１と同じ第ｍ−１列の画素６０の階調データｇｒを３１に補正する。
【００８７】
図１３は周辺画素と注目画素との階調データの差分と補正係数α，βとの関係を第３実施例として示している。第３実施例では、周辺画素と注目画素との階調データの差分が２５５のときにα＝６３，β＝３１となる。即ち、関係式α＝ｋ×βにおいて、係数ｋは２程度に設定されている。
【００８８】
図３に示すように、映像データＶＤにおける第ｍ−２〜第ｍ列の画素６０の階調データが０であり、第ｍ＋１，第ｍ＋２列の画素６０の階調データが２５５である場合、信号処理部２２は、周辺画素と注目画素との階調データの差分と補正係数α２１〜α２８，β２１〜β２８とが図１３に示すグラフにより関連付けられたルックアップテーブルに基づいて、補正係数α２１〜α２８＝６３，β２１〜β２８＝３１と設定する。
【００８９】
画素６０ｎ＿ｍを注目画素とした場合、信号処理部２２は、右方向に配置されている周辺画素６０ｎ＿ｍ＋１，６０ｎ＿ｍ＋２の階調データを、式（２）における演算式α２２×（ｇｒ＿ｎ＿ｍ＋１−ｇｒ＿ｎ＿ｍ）＋β２２×（ｇｒ＿ｎ＿ｍ＋２−ｇｒ＿ｎ＿ｍ）に基づいて演算する。
【００９０】
図１４は図３に対応し、各画素６０の階調データｇｒを示している。信号処理部２２は、画素６０ｎ＿ｍの階調データｇｒ＿ｎ＿ｍを９４に補正する。信号処理部２２は、画素６０ｎ＿ｍと同じ第ｍ列の画素６０の階調データｇｒを９４に補正する。画素６０ｎ＿ｍ−１を注目画素とした場合、信号処理部２２は、画素６０ｎ＿ｍ−１の階調データｇｒ＿ｎ＿ｍ−１を３１に補正する。信号処理部２２は、画素６０ｎ＿ｍ−１と同じ第ｍ−１列の画素６０の階調データｇｒを３１に補正する。
【００９１】
ルックアップテーブルは、第１〜第３実施例に限定されるものではなく、コントラストの悪化及びディスクリネーションの発生を抑制できるように、表示画素部３０の構成、解像度、画素ピッチ等に応じて適宜決定されるものである。
【００９２】
従って、第２実施形態の表示装置１２及び表示方法によれば、注目画素に対して水平方向、垂直方向、及び斜め方向にそれぞれ配置されている２画素分の周辺画素の階調データと注目画素の階調データとの差分に基づいて階調補正を実行することにより、注目画素と周辺画素との階調データの差分を、２画素分の周辺画素に対して小さくすることができるため、ディスクリネーションの発生を抑制することができる。
【００９３】
また、第２実施形態の表示装置１２及び表示方法によれば、注目画素に対して水平方向、垂直方向、及び斜め方向にそれぞれ配置されている２画素分の周辺画素の階調データと注目画素の階調データとの差分に基づいて階調補正を実行することにより、水平方向及び垂直方向にそれぞれ配置されている２画素分の周辺画素の階調データと注目画素の階調データとの差分に基づいて階調補正を実行する場合と比較して、多様な画像パターンに対してディスクリネーションの発生を抑制することができる。
【００９４】
ディスクリネーションの発生しやすい方向は、表示装置１２の設計仕様または表示装置１２毎に異なる場合がある。第２実施形態の表示装置１２及び表示方法では、注目画素に対して水平方向、垂直方向、及び斜め方向にそれぞれ配置されている２画素分の周辺画素の階調データと注目画素の階調データとの差分に基づいて階調補正を実行する。そのため、ディスクリネーションの発生しやすい方向が表示装置１２の設計仕様または表示装置１２毎に異なる場合でも、多様な画像パターンに対してディスクリネーションの発生を抑制することができる。
【００９５】
なお、ディスクリネーションの発生しやすい方向が予め確認されている場合には、注目画素に対してディスクリネーションの発生しやすい方向に配置されている２画素分の周辺画素のみの階調データと注目画素の階調データとの差分に基づいて階調補正を実行するようにしてもよい。
【００９６】
［第３実施形態］
図１に示すように、信号処理部２１の代わりに信号処理部２３を備えるのが第３実施形態の表示装置１３であり、信号処理部２３における表示方法、具体的には映像データＶＤの階調補正方法は信号処理部２１におけるそれと異なる。そこで、信号処理部２３における映像データＶＤの階調補正方法について説明する。なお、説明をわかりやすくするために、第１実施形態の表示装置１１と同じ構成部には同じ符号を付す。
【００９７】
信号処理部２３は、各画素６０に入力される階調データに対して階調補正処理を実行する。具体的には、信号処理部２３は、式（３）に基づいて、注目画素に対して水平方向、垂直方向、及び斜め方向にそれぞれ配置されている周辺画素の階調データと注目画素の階調データとの差分を演算し、演算結果から最大値を特定して注目画素における補正値ＣＶとする。
【００９８】
【数３】
2018194668.tif 000005
【００９９】
式（３）のα１１〜α１８は、式（１）のα１１〜α１８に対応する。即ち、式（３）は、式（１）においてβ１１〜β１８＝０に相当する。例えば、第ｎ行で第ｍ列の画素６０ｎ＿ｍを注目画素とした場合、信号処理部２３は、式（３）に基づいて、注目画素である画素６０ｎ＿ｍに対して水平方向、垂直方向、及び斜め方向に配置されている周辺画素の階調データと注目画素の階調データとの差分を演算する。信号処理部２３は、演算結果から最大値ＭＡＸを特定し、画素６０ｎ＿ｍにおける補正値ＣＶ＿ｎ＿ｍとする。
【０１００】
信号処理部２３は、注目画素の水平方向、垂直方向、及び斜め方向にそれぞれ配置されている周辺画素に対して、各方向毎に差分を演算し、演算結果から最大値を特定し、最大値を補正値ＣＶとする。
【０１０１】
信号処理部２３は、注目画素に対して周辺画素が配置されている方向、または、注目画素と周辺画素との距離に応じた補正係数α１１〜α１８に基づいて上記の差分を演算し、演算結果から最大値を特定して注目画素における補正値ＣＶとする。以下、水平方向を右方向及び左方向、垂直方向を上方向及び下方向、斜め方向を右上方向、右下方向、左下方向、及び左上方向として説明する。
【０１０２】
具体的には、信号処理部２３は、注目画素である画素６０ｎ＿ｍに対して上方向に配置されている周辺画素６０ｎ−１＿ｍの階調データと注目画素の階調データとの差分を、式（３）における演算式α１１×（ｇｒ＿ｎ−１＿ｍ−ｇｒ＿ｎ＿ｍ）に基づいて演算する。信号処理部２３は、画素６０ｎ＿ｍに対して右方向に配置されている周辺画素６０ｎ＿ｍ＋１の階調データと注目画素の階調データとの差分を、式（３）における演算式α１２×（ｇｒ＿ｎ＿ｍ＋１−ｇｒ＿ｎ＿ｍ）に基づいて演算する。
【０１０３】
信号処理部２３は、画素６０ｎ＿ｍに対して下方向に配置されている周辺画素６０ｎ＋１＿ｍの階調データと注目画素の階調データとの差分を、式（３）における演算式α１３×（ｇｒ＿ｎ＋１＿ｍ−ｇｒ＿ｎ＿ｍ）に基づいて演算する。信号処理部２３は、画素６０ｎ＿ｍに対して左方向に配置されている周辺画素６０ｎ＿ｍ−１の階調データと注目画素の階調データとの差分を、式（３）における演算式α１４×（ｇｒ＿ｎ＿ｍ−１−ｇｒ＿ｎ＿ｍ）に基づいて演算する。
【０１０４】
信号処理部２３は、画素６０ｎ＿ｍに対して右上方向に配置されている周辺画素６０ｎ−１＿ｍ＋１の階調データと注目画素の階調データとの差分を、式（３）における演算式α１５×（ｇｒ＿ｎ−１＿ｍ＋１−ｇｒ＿ｎ＿ｍ）に基づいて演算する。信号処理部２３は、画素６０ｎ＿ｍに対して右下方向に配置されている周辺画素６０ｎ＋１＿ｍ＋１の階調データと注目画素の階調データとの差分を、式（３）における演算式α１６×（ｇｒ＿ｎ＋１＿ｍ＋１−ｇｒ＿ｎ＿ｍ）に基づいて演算する。
【０１０５】
信号処理部２３は、画素６０ｎ＿ｍに対して左下方向に配置されている周辺画素６０ｎ＋１＿ｍ−１の階調データと注目画素の階調データとの差分を、式（３）における演算式α１７×（ｇｒ＿ｎ＋１＿ｍ−１−ｇｒ＿ｎ＿ｍ）に基づいて演算する。信号処理部２３は、画素６０ｎ＿ｍに対して左上方向に配置されている周辺画素６０ｎ−１＿ｍ−１の階調データと注目画素の階調データとの差分を、式（３）における演算式α１８×（ｇｒ＿ｎ−１＿ｍ−１−ｇｒ＿ｎ＿ｍ）に基づいて演算する。
【０１０６】
信号処理部２３は、演算結果から最大値ＭＡＸを特定し、画素６０ｎ＿ｍにおける補正値ＣＶ＿ｎ＿ｍとする。信号処理部２３は、画素６０ｎ＿ｍの階調データを、映像データＶＤにおける画素６０ｎ＿ｍの階調データｇｒ＿ｎ＿ｍに補正値ＣＶ＿ｎ＿ｍが加算された階調データに補正する。即ち、信号処理部２３は、複数の画素６０における注目画素に対して水平方向、垂直方向、及び斜め方向にそれぞれ配置されている周辺画素の階調データと注目画素の階調データとの差分に基づいて注目画素に対応する補正値ＣＶを決定する。信号処理部２３は、補正値ＣＶに基づいて、具体的には注目画素の階調データに補正値ＣＶを加算することにより、注目画素の画素値を増加させ、上記の差分を小さくする。画素値は例えば階調値である。
【０１０７】
信号処理部２３は、注目画素に対して右方向に配置されている周辺画素の階調データ、左方向に配置されている周辺画素の階調データ、上方向に配置されている周辺画素の階調データ、下方向に配置されている周辺画素の階調データ、右上方向に配置されている周辺画素の階調データ、右下方向に配置されている周辺画素の階調データ、左下方向に配置されている周辺画素の階調データ、及び左上方向に配置されている周辺画素の階調データと注目画素の階調データとの差分に基づいて注目画素に対応する補正値ＣＶを決定する。信号処理部２３は、補正値ＣＶに基づいて、具体的には注目画素の階調データに補正値ＣＶを加算することにより、注目画素の画素値を増加させ、上記の差分を小さくする。
【０１０８】
信号処理部２３は、表示画素部３０の全画素６０に対して、画素６０ｎ＿ｍと同様の階調補正処理を実行する。信号処理部２３は、映像データＶＤにおける全画素６０に対して階調補正処理を実行することにより、階調補正映像データＳＶＤを生成し、水平走査回路４０へ出力する。
【０１０９】
注目画素に対して水平方向及び垂直方向にそれぞれ配置されている周辺画素と注目画素との階調データの差分に基づいて階調補正を実行する場合、即ち斜め方向に配置されている周辺画素と注目画素との階調データの差分に基づいて階調補正を実行しない場合、信号処理部２３は、図１５に示すように、画素６０ｎ−２＿ｍ＋２，６０ｎ−１＿ｍ＋１，６０ｎ＿ｍ，６０ｎ＋１＿ｍ−１，６０ｎ＋２＿ｍ−２の階調データｇｒを３１に補正する。
【０１１０】
それに対して、注目画素に対して水平方向、垂直方向、及び斜め方向にそれぞれ配置されている周辺画素と注目画素との階調データの差分に基づいて階調補正を実行する場合は、図７に示す画像パターンでは、注目画素に対して斜め方向に配置されている周辺画素の階調データと注目画素の階調データとの差分を演算した値が最大値となる。
【０１１１】
そのため、信号処理部２３は、図１６に示すように、画素６０ｎ−２＿ｍ＋２，６０ｎ−１＿ｍ＋１，６０ｎ＿ｍ，６０ｎ＋１＿ｍ−１，６０ｎ＋２＿ｍ−２，６０ｎ−２＿ｍ＋１，６０ｎ−１＿ｍ，６０ｎ＿ｍ−１，６０ｎ＋１＿ｍ−２の階調データｇｒを３１に補正する。
【０１１２】
従って、第３実施形態の表示装置１３及び表示方法によれば、注目画素に対して水平方向、垂直方向、及び斜め方向にそれぞれ配置されている周辺画素の階調データと注目画素の階調データとの差分に基づいて階調補正を実行することにより、注目画素と周辺画素との階調データの差分を小さくすることができるため、ディスクリネーションの発生を抑制することができる。
【０１１３】
また、第３実施形態の表示装置１３及び表示方法によれば、注目画素に対して水平方向、垂直方向、及び斜め方向にそれぞれ配置されている周辺画素の階調データと注目画素の階調データとの差分に基づいて階調補正を実行することにより、水平方向及び垂直方向にそれぞれ配置されている周辺画素の階調データと注目画素の階調データとの差分に基づいて階調補正を実行する場合と比較して、多様な画像パターンに対してディスクリネーションの発生を抑制することができる。
【０１１４】
図１７（ａ）〜図１７（ｄ）は、図１に示す表示画素部３０の第ｎ−２〜第ｎ＋１行及び第ｍ−２〜第ｍ＋６列の画素６０を示している。図１７（ａ）〜図１７（ｄ）は、階調補正を実行しない場合のフレーム毎に連続して表示される画像の一例を模式的に示している。図１７（ａ）は第１フレーム、図１７（ｂ）は第２フレーム、図１７（ｃ）は第３フレーム、図１７（ｄ）は第４フレームの表示画像を示している。
【０１１５】
図１７（ａ）は、映像データＶＤにおける第ｍ−２及び第ｍ−１列の画素６０が白表示（例えばｇｒ＝０）、第ｍ〜第ｍ＋６列の画素６０が黒表示（例えばｇｒ＝２５５）の場合を示している。図１７（ａ）に示す画像パターンの場合、第ｍ−１列と第ｍ列との境界部における画素６０間の電位差が大きい。そのため、階調補正を実行しないと、第ｍ−１列の画素６０の上記の境界部近傍にディスクリネーションが発生する場合がある。
【０１１６】
図１７（ｂ）は、図１７（ａ）に示す状態から白表示と黒表示との境界部が右方向に１列移動した状態を示している。図１７（ｃ）は、図１７（ｂ）に示す状態から白表示と黒表示との境界部がさらに右方向に１列移動した状態を示している。図１７（ｄ）は、図１７（ｃ）に示す状態から白表示と黒表示との境界部がさらに右方向に１列移動した状態を示している。
【０１１７】
図１７（ａ）〜図１７（ｄ）に示すように、階調補正を実行しないと、白表示と黒表示との境界部が右方向に１列毎に移動することにより、列毎に白表示と黒表示との境界部近傍にディスクリネーションが発生する。発生したディスクリネーションは直ぐに消失しないため、尾引きが発生し、表示画像の品位を悪化させる。
【０１１８】
図１８（ａ）〜図１８（ｄ）は、注目画素に対して水平方向及び垂直方向にそれぞれ配置されている周辺画素に基づいて階調補正を実行する場合のフレーム毎に連続して表示される画像の一例を模式的に示している。図１８（ａ）〜図１８（ｄ）は図１７（ａ）〜図１７（ｄ）に対応する。
【０１１９】
図１８（ａ）〜図１８（ｄ）に示すように、注目画素に対して水平方向及び垂直方向にそれぞれ配置されている周辺画素に基づいて階調補正を実行することにより、注目画素と周辺画素との階調データの差分は小さくなる。そのため、図１８（ａ）〜図１８（ｄ）に示す画像パターンでは、ディスクリネーションの発生を抑制することができる。
【０１２０】
図１９（ａ）〜図１９（ｄ）は、注目画素に対して水平方向、垂直方向、及び斜め方向にそれぞれ配置されている周辺画素に基づいて階調補正を実行する場合のフレーム毎に連続して表示される画像の一例を模式的に示している。図１９（ａ）〜図１９（ｄ）は、図１７（ａ）〜図１７（ｄ）、及び、図１８（ａ）〜図１８（ｄ）に対応する。
【０１２１】
図１９（ａ）〜図１９（ｄ）に示すように、注目画素に対して水平方向、垂直方向、及び斜め方向にそれぞれ配置されている周辺画素に基づいて階調補正を実行することにより、注目画素と周辺画素との階調データの差分は小さくなる。そのため、図１８（ａ）〜図１８（ｄ）に示す画像パターンでは、ディスクリネーションの発生を抑制することができる。
【０１２２】
図２０（ａ）〜図２０（ｄ）は、図１に示す表示画素部３０の第ｎ−２〜第ｎ＋１行及び第ｍ−２〜第ｍ＋６列の画素６０を示している。図２０（ａ）〜図２０（ｄ）は、階調補正を実行しない場合のフレーム毎に連続して表示される画像の一例を模式的に示している。図２０（ａ）は第１フレーム、図２０（ｂ）は第２フレーム、図２０（ｃ）は第３フレーム、図２０（ｄ）は第４フレームの表示画像を示している。図２０（ａ）〜図２０（ｄ）は、図１７（ａ）〜図１７（ｄ）とは異なる画像パターンを示している。
【０１２３】
図２０（ａ）は、映像データＶＤにおける第ｍ−２及び第ｍ−１列で第ｎ−２〜第ｎ＋１行の画素６０、第ｍ列で第ｎ−１〜第ｎ＋１行の画素６０、第ｍ＋１列で第ｎ及び第ｎ＋１行の画素６０、及び第ｍ＋２列で第ｎ＋１行の画素６０が白表示、それ以外の画素６０が黒表示の場合を示している。図２０（ａ）に示す画像パターンの場合、白表示の画素６０と黒表示の画素６０との境界部における画素６０間の電位差の大きい。そのため、階調補正を実行しないと、上記の境界部近傍にディスクリネーションが発生する場合がある。
【０１２４】
図２０（ｂ）は、図２０（ａ）に示す状態から白表示と黒表示との境界部が右方向に１列移動した状態を示している。図２０（ｃ）は、図２０（ｂ）に示す状態から白表示と黒表示との境界部がさらに右方向に１列移動した状態を示している。図２０（ｄ）は、図２０（ｃ）に示す状態から白表示と黒表示との境界部がさらに右方向に１列移動した状態を示している。
【０１２５】
図２０（ａ）〜図２０（ｄ）に示すように、階調補正を実行しないと、白表示と黒表示との境界部が右方向に１列毎に移動することにより、列毎に白表示と黒表示との境界部近傍にディスクリネーションが発生する。発生したディスクリネーションは直ぐに消失しないため、尾引きが発生し、表示画像の品位を悪化させる。
【０１２６】
図２１（ａ）〜図２１（ｄ）は、注目画素に対して水平方向及び垂直方向にそれぞれ配置されている周辺画素に基づいて階調補正を実行する場合のフレーム毎に連続して表示される画像の一例を模式的に示している。図２１（ａ）〜図２１（ｄ）は図２０（ａ）〜図２０（ｄ）に対応する。
【０１２７】
図２１（ａ）〜図２１（ｄ）に示すように、注目画素に対して水平方向及び垂直方向にそれぞれ配置されている周辺画素に基づいて階調補正を実行する場合は、階調補正を実行しない場合よりもディスクリネーションの発生を減少させることができるものの、注目画素に対して斜め方向の周辺画素の影響を受けるため、ディスクリネーションの発生を十分に抑制できない。
【０１２８】
図２２（ａ）〜図２２（ｄ）は、注目画素に対して水平方向、垂直方向、及び斜め方向にそれぞれ配置されている周辺画素に基づいて階調補正を実行する場合のフレーム毎に連続して表示される画像の一例を模式的に示している。図２２（ａ）〜図２２（ｄ）は、図２０（ａ）〜図２０（ｄ）、及び、図２１（ａ）〜図２１（ｄ）に対応する。
【０１２９】
図２２（ａ）〜図２２（ｄ）に示すように、注目画素に対して水平方向、垂直方向、及び斜め方向にそれぞれ配置されている周辺画素に基づいて階調補正を実行することにより、注目画素と斜め方向の周辺画素との階調データの差分を小さくすることができる。そのため、図２２（ａ）〜図２２（ｄ）に示す画像パターンにおいても、ディスクリネーションの発生を抑制することができる。
【０１３０】
ディスクリネーションの発生しやすい方向は、表示装置１３の設計仕様または表示装置１３毎に異なる場合がある。第３実施形態の表示装置１３及び表示方法では、注目画素に対して水平方向、垂直方向、及び斜め方向にそれぞれ配置されている周辺画素に基づいて階調補正を実行する。そのため、ディスクリネーションの発生しやすい方向が表示装置１３の設計仕様または表示装置１３毎に異なる場合でも、多様な画像パターンに対してディスクリネーションの発生を抑制することができる。
【０１３１】
なお、ディスクリネーションの発生しやすい方向が予め確認されている場合には、注目画素に対してディスクリネーションの発生しやすい方向に隣接する周辺画素のみに基づいて階調補正を実行するようにしてもよい。
【０１３２】
［第４実施形態］
図１に示すように、信号処理部２２の代わりに信号処理部２４を備えるのが第４実施形態の表示装置１４であり、信号処理部２４における表示方法、具体的には映像データＶＤの階調補正方法は信号処理部２２におけるそれと異なる。そこで、信号処理部２４における映像データＶＤの階調補正方法について説明する。なお、説明をわかりやすくするために、第２実施形態の表示装置１２と同じ構成部には同じ符号を付す。
【０１３３】
信号処理部２４は、各画素６０に入力される階調データに対して階調補正処理を実行する。具体的には、信号処理部２４は、式（４）に基づいて、注目画素に対して水平方向、垂直方向、及び斜め方向にそれぞれ配置されている周辺画素の階調データを演算し、演算結果から最大値を特定し、注目画素における補正値ＣＶとする。
【０１３４】
【数４】
2018194668.tif 000006
【０１３５】
式（４）のα２１〜α２８は、式（２）のα２１〜α２８に対応する。即ち、式（４）は、式（２）においてβ２１〜β２８＝０に相当する。例えば、第ｎ行で第ｍ列の画素６０ｎ＿ｍを注目画素とした場合、信号処理部２４は、式（４）に基づいて、注目画素である画素６０ｎ＿ｍに対して水平方向、垂直方向、及び斜め方向に配置されている周辺画素の階調データを演算する。信号処理部２４は、演算結果から最大値ＭＡＸを特定し、画素６０ｎ＿ｍにおける補正値ＣＶ＿ｎ＿ｍとする。
【０１３６】
信号処理部２４は、注目画素の水平方向、垂直方向、及び斜め方向にそれぞれ配置されている周辺画素に対して、各方向毎に差分を演算し、演算結果から最大値を特定し、最大値を補正値ＣＶとする。
【０１３７】
信号処理部２４は、注目画素に対して周辺画素が配置されている方向、または、注目画素と周辺画素との距離に応じた補正係数α２１〜α２８に基づいて上記の差分を演算し、演算結果から最大値を特定して注目画素における補正値ＣＶとする。以下、水平方向を右方向及び左方向、垂直方向を上方向及び下方向、斜め方向を右上方向、右下方向、左下方向、及び左上方向として説明する。
【０１３８】
具体的には、信号処理部２４は、注目画素である画素６０ｎ＿ｍに対して上方向に配置されている周辺画素６０ｎ−１＿ｍの階調データを、式（４）における演算式α２１×（ｇｒ＿ｎ−１＿ｍ−ｇｒ＿ｎ＿ｍ）に基づいて演算する。信号処理部２４は、画素６０ｎ＿ｍに対して右方向に配置されている周辺画素６０ｎ＿ｍ＋１の階調データを、式（４）における演算式α２２×（ｇｒ＿ｎ＿ｍ＋１−ｇｒ＿ｎ＿ｍ）に基づいて演算する。
【０１３９】
信号処理部２４は、画素６０ｎ＿ｍに対して下方向に配置されている周辺画素６０ｎ＋１＿ｍの階調データを、式（４）における演算式α２３×（ｇｒ＿ｎ＋１＿ｍ−ｇｒ＿ｎ＿ｍ）に基づいて演算する。信号処理部２４は、画素６０ｎ＿ｍに対して左方向に配置されている周辺画素６０ｎ＿ｍ−１の階調データを、式（４）における演算式α２４×（ｇｒ＿ｎ＿ｍ−１−ｇｒ＿ｎ＿ｍ）に基づいて演算する。
【０１４０】
信号処理部２４は、画素６０ｎ＿ｍに対して右上方向に配置されている周辺画素６０ｎ−１＿ｍ＋１の階調データを、式（４）における演算式α２５×（ｇｒ＿ｎ−１＿ｍ＋１−ｇｒ＿ｎ＿ｍ）に基づいて演算する。信号処理部２４は、画素６０ｎ＿ｍに対して右下方向に配置されている周辺画素６０ｎ＋１＿ｍ＋１の階調データを、式（４）における演算式α２６×（ｇｒ＿ｎ＋１＿ｍ＋１−ｇｒ＿ｎ＿ｍ）に基づいて演算する。
【０１４１】
信号処理部２４は、画素６０ｎ＿ｍに対して左下方向に配置されている周辺画素６０ｎ＋１＿ｍ−１の階調データを、式（４）における演算式α２７×（ｇｒ＿ｎ＋１＿ｍ−１−ｇｒ＿ｎ＿ｍ）に基づいて演算する。信号処理部２４は、画素６０ｎ＿ｍに対して左上方向に配置されている周辺画素６０ｎ−１＿ｍ−１の階調データを、式（４）における演算式α２８×（ｇｒ＿ｎ−１＿ｍ−１−ｇｒ＿ｎ＿ｍ）に基づいて演算する。補正係数α２１〜α２８の設定方法は、第２実施形態における補正係数α２１〜α２８の設定方法と同じである。
【０１４２】
信号処理部２４は、演算結果から最大値ＭＡＸを特定し、画素６０ｎ＿ｍにおける補正値ＣＶ＿ｎ＿ｍとする。信号処理部２４は、画素６０ｎ＿ｍの階調データを、映像データＶＤにおける画素６０ｎ＿ｍの階調データｇｒ＿ｎ＿ｍに補正値ＣＶ＿ｎ＿ｍが加算された階調データに補正する。即ち、信号処理部２４は、複数の画素６０における注目画素に対して水平方向、垂直方向、及び斜め方向にそれぞれ配置されている周辺画素の階調データに基づいて注目画素に対応する補正値ＣＶを決定する。信号処理部２４は、補正値ＣＶに基づいて、具体的には注目画素の階調データに補正値ＣＶを加算することにより、注目画素の画素値を増加させ、注目画素と周辺画素との階調データの差分を小さくする。画素値は例えば階調値である。
【０１４３】
信号処理部２４は、注目画素に対して右方向に配置されている周辺画素の階調データと、左方向に配置されている周辺画素の階調データと、上方向に配置されている周辺画素の階調データと、下方向に配置されている周辺画素の階調データと、右上方向に配置されている周辺画素の階調データと、右下方向に配置されている周辺画素の階調データと、左下方向に配置されている周辺画素の階調データと、左上方向に配置されている周辺画素の階調データとに基づいて注目画素に対応する補正値ＣＶを決定する。信号処理部２４は、補正値ＣＶに基づいて、具体的には注目画素の階調データに補正値ＣＶを加算することにより、注目画素の画素値を増加させ、上記の差分を小さくする。
【０１４４】
信号処理部２４は、表示画素部３０の全画素６０に対して、画素６０ｎ＿ｍと同様の階調補正処理を実行する。信号処理部２４は、映像データＶＤにおける全画素６０に対して階調補正処理を実行することにより、階調補正映像データＳＶＤを生成し、水平走査回路４０へ出力する。
【０１４５】
従って、第４実施形態の表示装置１４及び表示方法によれば、注目画素に対して水平方向、垂直方向、及び斜め方向にそれぞれ配置されている周辺画素に基づいて階調補正を実行することにより、注目画素と周辺画素との階調データの差分を小さくすることができるため、ディスクリネーションの発生を抑制することができる。
【０１４６】
また、第４実施形態の表示装置１４及び表示方法によれば、注目画素に対して水平方向、垂直方向、及び斜め方向にそれぞれ配置されている周辺画素に基づいて階調補正を実行することにより、水平方向及び垂直方向にそれぞれ配置されている周辺画素に基づいて階調補正を実行する場合と比較して、多様な画像パターンに対してディスクリネーションの発生を抑制することができる。
【０１４７】
第４実施形態の表示装置１４及び表示方法では、図１７（ａ）〜図１７（ｄ）、図１８（ａ）〜図１８（ｄ）、図１９（ａ）〜図１９（ｄ）、図２０（ａ）〜図２０（ｄ）、図２１（ａ）〜図２１（ｄ）、及び、図２２（ａ）〜図２２（ｄ）に示す表示画像と同様の表示画像が確認されている。
【０１４８】
ディスクリネーションの発生しやすい方向は、表示装置１４の設計仕様または表示装置１４毎に異なる場合がある。第４実施形態の表示装置１４及び表示方法では、注目画素に対して水平方向、垂直方向、及び斜め方向にそれぞれ配置されている周辺画素に基づいて階調補正を実行する。そのため、ディスクリネーションの発生しやすい方向が表示装置１４の設計仕様または表示装置１４毎に異なる場合でも、多様な画像パターンに対してディスクリネーションの発生を抑制することができる。
【０１４９】
なお、ディスクリネーションの発生しやすい方向が予め確認されている場合には、注目画素に対してディスクリネーションの発生しやすい方向に隣接する周辺画素のみに基づいて階調補正を実行するようにしてもよい。
【０１５０】
本発明は、上述した各実施形態に限定されるものではなく、本発明の要旨を逸脱しない範囲において種々変更可能である。
【０１５１】
第１及び第２実施形態の表示装置１１，１２及び表示方法においては、信号処理部２１，２２は、注目画素に対して水平方向、垂直方向、及び斜め方向にそれぞれ配置されている２画素分の周辺画素の階調データを演算し、演算結果から最大値ＭＡＸを特定して注目画素における補正値ＣＶとしている。第１及び第２実施形態の表示装置１１，１２及び表示方法において、３画素分以上の複数の周辺画素の階調データを演算し、演算結果から最大値ＭＡＸを特定して注目画素における補正値ＣＶとしてもよい。
【０１５２】
また、信号処理部２１，２２は、演算結果から値の大きい上位３つの値、演算結果が所定値以上の値、演算結果の合計値または平均値から補正値ＣＶを決定するようにしてもよい。画素６０ｎ＿ｍを注目画素とした場合、信号処理部２１，２２は、第１及び第２実施形態では演算対象としなかった画素６０ｎ−２＿ｍ−１，６０ｎ−２＿ｍ＋１，６０ｎ−１＿ｍ−２，６０ｎ−１＿ｍ＋２，６０ｎ＋１＿ｍ−２，６０ｎ＋１＿ｍ＋２，６０ｎ＋２＿ｍ−１，６０ｎ＋２＿ｍ＋１を周辺画素として補正値ＣＶを決定するようにしてもよい。
【０１５３】
第１〜第４実施形態の表示装置１１〜１４及びそれらの表示方法では、式（１）〜（４）に示すように、周辺画素の階調データから注目画素の階調データを減算することにより、周辺画素の階調データと注目画素の階調データとの差分を演算している。第１〜第４実施形態の表示装置１１〜１４及びそれらの表示方法において、注目画素の階調データから周辺画素の階調データを減算することにより、周辺画素の階調データと注目画素の階調データとの差分を演算し、演算結果から最大値を特定して注目画素における補正値ＣＶとしてもよい。
【０１５４】
具体的には、第１実施形態の表示装置１１及び表示方法において、信号処理部２１は、式（５）に基づいて、注目画素に対して水平方向、垂直方向、及び斜め方向にそれぞれ配置されている２画素分の周辺画素の階調データと注目画素の階調データとの差分を演算し、演算結果から最大値を特定して注目画素における補正値ＣＶとする。
【０１５５】
【数５】
2018194668.tif 000007
【０１５６】
例えば、第ｎ行で第ｍ列の画素６０ｎ＿ｍを注目画素とした場合、信号処理部２１は、式（５）に基づいて、注目画素である画素６０ｎ＿ｍに対して水平方向、垂直方向、及び斜め方向にそれぞれ配置されている２画素分の周辺画素の階調データと注目画素の階調データとの差分を演算する。信号処理部２１は、演算結果から最大値ＭＡＸを特定し、画素６０ｎ＿ｍにおける補正値ＣＶ＿ｎ＿ｍとする。
【０１５７】
信号処理部２１は、複数の画素６０における注目画素に隣接する第１の周辺画素及び第１の周辺画素に隣接する第２の周辺画素の階調データと注目画素の階調データとの差分に基づいて注目画素に対応する補正値ＣＶを決定する。信号処理部２１は、補正値ＣＶに基づいて、具体的には注目画素の階調データから補正値ＣＶを減算することにより、注目画素の画素値を減少させ、上記の差分を小さくする。画素値は例えば階調値である。
【０１５８】
即ち、信号処理部２１は、複数の画素６０における注目画素に対して水平方向、垂直方向、及び斜め方向にそれぞれ配置されている２画素分の周辺画素の階調データと注目画素の階調データとの差分に基づいて注目画素に対応する補正値ＣＶを決定し、補正値ＣＶに基づいて、具体的には注目画素の階調データから補正値ＣＶを減算することにより、注目画素の画素値を減少させ、上記の差分を小さくする。
【０１５９】
第２実施形態の表示装置１２及び表示方法において、信号処理部２２は、式（６）に基づいて、注目画素に対して水平方向、垂直方向、及び斜め方向にそれぞれ配置されている２画素分の周辺画素の階調データと注目画素の階調データとの差分を演算し、演算結果から最大値を特定して注目画素における補正値ＣＶとする。
【０１６０】
【数６】
2018194668.tif 000008
【０１６１】
例えば、第ｎ行で第ｍ列の画素６０ｎ＿ｍを注目画素とした場合、信号処理部２２は、式（６）に基づいて、注目画素である画素６０ｎ＿ｍに対して水平方向、垂直方向、及び斜め方向にそれぞれ配置されている２画素分の周辺画素の階調データと画素６０ｎ＿ｍの階調データとの差分を演算する。信号処理部２２は、演算結果から最大値ＭＡＸを特定し、画素６０ｎ＿ｍにおける補正値ＣＶ＿ｎ＿ｍとする。
【０１６２】
信号処理部２２は、複数の画素６０における注目画素に隣接する第１の周辺画素及び第１の周辺画素に隣接する第２の周辺画素の階調データと注目画素の階調データとの差分に基づいて注目画素に対応する補正値ＣＶを決定する。信号処理部２２は、補正値ＣＶに基づいて、具体的には注目画素の階調データから補正値ＣＶを減算することにより、注目画素の画素値を減少させ、上記の差分を小さくする。画素値は例えば階調値である。
【０１６３】
即ち、信号処理部２１は、複数の画素６０における注目画素に対して水平方向、垂直方向、及び斜め方向にそれぞれ配置されている２画素分の周辺画素の階調データと注目画素の階調データとの差分に基づいて注目画素に対応する補正値ＣＶを決定し、補正値ＣＶに基づいて、具体的には注目画素の階調データから補正値ＣＶを減算することにより、注目画素の画素値を減少させ、上記の差分を小さくする。
【０１６４】
第３実施形態の表示装置１３及び表示方法において、信号処理部２３は、式（７）に基づいて、注目画素に対して水平方向、垂直方向、及び斜め方向にそれぞれ配置されている周辺画素の階調データと注目画素の階調データとの差分を演算し、演算結果から最大値を特定して注目画素における補正値ＣＶとする。
【０１６５】
【数７】
2018194668.tif 000009
【０１６６】
例えば、第ｎ行で第ｍ列の画素６０ｎ＿ｍを注目画素とした場合、信号処理部２３は、式（７）に基づいて、注目画素である画素６０ｎ＿ｍに対して水平方向、垂直方向、及び斜め方向にそれぞれ配置されている周辺画素の階調データと画素６０ｎ＿ｍの階調データとの差分を演算する。信号処理部２３は、演算結果から最大値ＭＡＸを特定し、画素６０ｎ＿ｍにおける補正値ＣＶ＿ｎ＿ｍとする。
【０１６７】
信号処理部２３は、複数の画素６０における注目画素に隣接する周辺画素の階調データと注目画素の階調データとの差分に基づいて注目画素に対応する補正値ＣＶを決定する。信号処理部２３は、補正値ＣＶに基づいて、具体的には注目画素の階調データから補正値ＣＶを減算することにより、注目画素の画素値を減少させ、上記の差分を小さくする。画素値は例えば階調値である。
【０１６８】
即ち、信号処理部２３は、複数の画素６０における注目画素に対して水平方向、垂直方向、及び斜め方向にそれぞれ配置されている周辺画素の階調データと注目画素の階調データとの差分に基づいて注目画素に対応する補正値ＣＶを決定し、補正値ＣＶに基づいて、具体的には注目画素の階調データから補正値ＣＶを減算することにより、注目画素の画素値を減少させ、上記の差分を小さくする。
【０１６９】
第４実施形態の表示装置１４及び表示方法において、信号処理部２４は、式（８）に基づいて、注目画素に対して水平方向、垂直方向、及び斜め方向にそれぞれ配置されている周辺画素の階調データを演算し、演算結果から最大値を特定し、注目画素における補正値ＣＶとする。
【０１７０】
【数８】
2018194668.tif 000010
【０１７１】
例えば、第ｎ行で第ｍ列の画素６０ｎ＿ｍを注目画素とした場合、信号処理部２４は、式（８）に基づいて、注目画素である画素６０ｎ＿ｍに対して水平方向、垂直方向、及び斜め方向にそれぞれ配置されている周辺画素の階調データと画素６０ｎ＿ｍの階調データとの差分を演算する。信号処理部２４は、演算結果から最大値ＭＡＸを特定し、画素６０ｎ＿ｍにおける補正値ＣＶ＿ｎ＿ｍとする。
【０１７２】
信号処理部２４は、複数の画素６０における注目画素に隣接する周辺画素の階調データと注目画素の階調データとの差分に基づいて注目画素に対応する補正値ＣＶを決定する。信号処理部２４は、補正値ＣＶに基づいて、具体的には注目画素の階調データから補正値ＣＶを減算することにより、注目画素の画素値を減少させ、上記の差分を小さくする。画素値は例えば階調値である。
【０１７３】
即ち、信号処理部２４は、複数の画素６０における注目画素に対して水平方向、垂直方向、及び斜め方向にそれぞれ配置されている周辺画素の階調データと注目画素の階調データとの差分に基づいて注目画素に対応する補正値ＣＶを決定し、補正値ＣＶに基づいて、具体的には注目画素の階調データから補正値ＣＶを減算することにより、注目画素の画素値を減少させ、上記の差分を小さくする。
【０１７４】
第１〜第４実施形態の表示装置１１〜１４及びそれらの表示方法では、アナログ駆動方式を例として説明したが、サブフレーム方式によるデジタル駆動方式に適用してもよい。
【符号の説明】
【０１７５】
１１，１２，１３，１４  表示装置
２１，２２，２３，２４  信号処理部
３０  表示画素部
６０  画素
【図１】
2018194668.tif 000011
【図２】
2018194668.tif 000012
【図３】
2018194668.tif 000013
【図４】
2018194668.tif 000014
【図５】
2018194668.tif 000015
【図６】
2018194668.tif 000016
【図７】
2018194668.tif 000017
【図８】
2018194668.tif 000018
【図９】
2018194668.tif 000019
【図１０】
2018194668.tif 000020
【図１１】
2018194668.tif 000021
【図１２】
2018194668.tif 000022
【図１３】
2018194668.tif 000023
【図１４】
2018194668.tif 000024
【図１５】
2018194668.tif 000025
【図１６】
2018194668.tif 000026
【図１７】
2018194668.tif 000027
【図１８】
2018194668.tif 000028
【図１９】
2018194668.tif 000029
【図２０】
2018194668.tif 000030
【図２１】
2018194668.tif 000031
【図２２】
2018194668.tif 000032